(57)【要約】      （修正有）【課題】マルチメディア・プレーヤーに於いてカバープレートは格納敷式トレーをカバーする、又は開くためにのみ使用され、他の附加機能を有していない。【解決手段】マルチメディア・プレーヤーは、メインフレーム１及び回動パネル２を含む。回動パネル２は、取付板２０及びケーシング部３０を含んでいる。ケーシング部３０は、取付板２０の前面部２１にケーシング部３０の背面プレート３２が置かれる第一の位置と、取付板２０の窓部２１１を露出するように、取付板２０の前面部２１から背面プレート３２が移動させられる第二の位置との間で回動可能とされる。正面プレート３１には、マルチメディア・プレーヤーの稼動状態を表示する表示器３１１と、マルチメディア・プレーヤーの動作を調整するための複数の調整スイッチ３１２と、が備えられる。【選択図】図１
0003103074.tif 000002
【実用新案登録請求の範囲】
【請求項１】
メインフレーム（１）と、該メインフレーム（１）に対して回動可能に取付けられた回動パネル（２）と、を包含し、
前記回動パネル（２）は、前記メインフレーム（１）に固定され、窓部（２１１）が形成され、前面部（２１）を含む取付板（２０）と、相互に結合した正面プレート（３１）及び背面プレート（３２）を含み、取付板（２０）に対して回動可能に取付けられたケーシング部（３０）と、を含み、
前記ケーシング部（３０）は、前記取付板（２０）の前記前面部（２１）に前記ケーシング部（３０）の前記背面プレート（３２）が置かれる第一の位置と、前記窓部（２１１）を露呈するように前記取付板（２０）の前記前面部（２１）から前記ケーシング部（３０）の前記背面プレート（３２）が移動させられる第二の位置と、の間で回動可能であり、
前記ケーシング部（３０）の前記正面プレート（３１）は、該マルチメディア・プレーヤーの作動状態を表示する表示器（３１１）と、該マルチメディア・プレーヤーの機能をコントロールする複数の調整スイッチ（３１２）と、を備えること
を特徴とするマルチメディア・プレーヤー。
【請求項２】
前記ケーシング部（３０）の前記背面プレート（３２）は、前記ケーシング部（３０）が前記第一の位置に配置されるときには、前記取付板（２０）の前記前面部（２１）に磁気力により静止されること
を特徴とする請求項１記載のマルチメディア・プレーヤー。
【請求項３】
前記ケーシング部（３０）の前記背面プレート（３２）は、前記ケーシング部（３０）が前記第一の位置に配置されるときには、前記取付板（２０）の前記前面部（２１）に機械的に静止されること
を特徴とする請求項１記載のマルチメディア・プレーヤー。
【請求項４】
前記ケーシング部（３０）の前記背面プレート（３２）には留め孔部（３５）が形成され、前記取付板（２０）の前記前面部（２１）にはスロット（２１４）が形成され、
前記ケーシング部（３０）は、さらに、前記取付板（２０）の前記スロット（２１４）内に取付けられた軸部（２１５）に軸支されたフック部材（２４）を含み、
該フック部材（２４）は、前記取付板（２０）側で前記ケーシング部（３０）の前記背面プレート（３２）をロックするために、前記背面プレート（３２）の前記留め孔部（３５）内に挿入可能な留め鉤部（２４１）を備え、かつ、前記軸部（２１５）に軸支された軸孔部（２４３）が形成された内面を有し、
前記フック部材（２４）の前記軸孔部（２４３）は、前記軸部（２１５）を前記フック部材（２４）の前記軸孔部（２４３）に挿入することを容易にする開口部（２４４）が形成された側部を有し、
前記ケーシング部（３０）の背面プレート（３２）には導通孔部（３５０）が形成され、
前記フック部材（２４）は、操作部（２４２）が形成された第一の端部を有し、
前記ケーシング部（３０）は、さらに、前記ケーシング部（３０）の前記正面プレート（３１）に移動可能に取付けられた第一の押しボタン（３４）を含み、
該第一の押しボタン（３４）は、前記ケーシング部（３０）の前記正面プレート（３１）から外部に突出された本体部（３４１）と、前記本体部（３４１）に取付けられた第一の端部と、前記背面プレート（３２）の前記導通孔部（３５０）を通るように伸張され前記フック部材（２４）を回転するために前記フック部材（２４）の前記操作部（２４２）に対して置かれた第二の端部と、を有する駆動棒３４２と、前記本体部（３４１）と前記ケーシング部（３０）の前記背面プレート（３２）との間に取付けられた圧縮ばね（５）と、を含み、
前記ケーシング部（３０）は、さらに、前記取付板（２０）の背面部（２１２）から外部に突出するように取付けられた固定竿部（２１６）を含み、
前記フック部材（２４）と前記取付板（２０）との間には引張ばね（６）が取付けられ、
該引張ばね（６）は、前記フック部材（２４）の第二の端部に固定された第一の端部と、前記固定竿部（２１６）に固定された第二の端部とを有し、
前記ケーシング部（３０）の前記背面プレート（３２）には、前記メインフレーム（１）の受け部（１０）の作動をコントロールするための第二の押しボタン（７）が移動可能に取付けられたこと
を特徴とする請求項１記載のマルチメディア・プレーヤー。
【請求項５】
前記取付板（２０）は、背面部（２１２）を有し、
前記取付板（２０）の該背面部（２１２）は、第一のクランクアーム（２２）と第二のクランクアーム（２２’）とを取付けるための２つの結合部２１３が反対側位置に備えられた側部を有し、
前記第一のクランクアーム（２２）及び前記第二のクランクアーム（２２’）の各々は、前記ケーシング部（３０）に回動可能に取付けるために、前記ケーシング部（３０）内に伸張された伸張部（２２１）（２２１’）を有し、
前記ケーシング部（３０）は、さらに、前記第一のクランクアーム（２２）の前記伸張部（２２１）に回動可能に取付けられた第一の歯車（２３）と、前記正面プレート（３１）に固定され、前記第一の歯車（２３）と噛み合う第二の歯車（３３）と、前記第二のクランクアーム（２２’）の前記伸張部（２２１’）に軸支されたねじりばね（４）と、を有し、
該ねじりばね（４）は、前記第二のクランクアーム（２２’）の前記伸張部（２２１’）に固定された第一の端部と、前記ケーシング部（３０）に固定された第二の端部とを有すること
を特徴とする請求項１記載のマルチメディア・プレーヤー。
【考案の詳細な説明】
【技術分野】
【０００１】
本実用新案は、マルチメディア・プレーヤーの作動状態を表示でき、さらにマルチメディア・プレーヤーの再生機能をコントロールすることができる操作パネルを形成する回動可能なパネルを有するマルチメディア・プレーヤーに関する。
【考案の開示】
【考案が解決しようとする課題】
【０００２】
ＶＣＤやＤＶＤプレーヤーのような、コンピュータに搭載された従来のマルチメディア・プレーヤーは、メインフレームと、ＶＣＤやＤＶＤのようなポータブルな記憶メディアを運ぶために該メインフレームの中で移動可能に搭載された格納式トレーと、該格納式トレーをカバーする若しくは開くために、メインフレームに対して枢軸上に置かれたカバープレートと、を含んでいる。しかしながら、カバープレートは、格納式トレーをカバーする若しくは開くためにのみ使用され、他の付加機能を有しておらず、それ故にカバープレートの多機能性を制限する。加えて、カバープレートは、容易に操作されず、それ故に、ユーザーに不便をもたらす。
【考案を実施するための最良の形態】
【０００３】
本実用新案は、図面と共に記載された下記の詳細な説明を参照することによって明確に理解されるであろう。
【０００４】
各図面及び初めに図１乃至図５に参照されるように、マルチメディア・プレーヤーは、例えばＶＣＤかＤＶＤプレーヤーであり、本実用新案の好ましい実施態様に従って、メインフレーム１、及びメインフレーム１上で回動可能に取付けられた回動パネル２を含む。メインフレーム１は、ＶＣＤやＤＶＤのようなポータブルな記憶メディアを運ぶための受け部１０を備えている。好ましくは、メインフレーム１の該受け部１０は、格納式のトレーである。回動パネル２は、メインフレーム１に固定された取付板２０と、取付板２０に対して回動可能に取付けられたケーシング部３０と、を有している。
【０００５】
取付板２０は、前面部２１及び背面部２１２を有する（図４参照）。取付板２０には、メインフレーム１の受け部１０を通過させるための窓部２１１が、メインフレーム１の受け部１０との対応位置に形成される。ケーシング部３０は、互いに結合した正面プレート３１及び背面プレート３２を含んでいる。正面プレート３１は、好ましくは、表示器３１１と２つの調整スイッチ３１２とを備えている。表示器３１１は、好ましくは、マルチメディア・プレーヤーの作動状態を示す液晶表示ディスプレイ（ＬＣＤ）である。２つの調整スイッチ３１２は、好ましくはマルチメディア・プレーヤーの再生機能をコントロールする音量調節ボタン及び周波数変調ボタンである。ケーシング部３０は、図２に示すように、ケーシング部３０の背面プレート３２が取付板２０の前面部２１上に堅く安定して置かれる第一の位置と、図１に示すように、ケーシング部３０の背面プレート３２が窓部２１１を全て露呈するように取付板２０の前面部２１から移動させられる第二の位置と、の間で回動可能とされる。
【０００６】
要するに、ケーシング部３０は、マルチメディア・プレーヤーの作動状態を表示することができ、さらにマルチメディア・プレーヤーの再生機能をコントロールすることができる操作パネルを形成する。さらに、ケーシング部３０は、メインフレーム１の受け部１０を保護する又は受け部１０から遠ざける、回動機能を有している。取付板２０の背面部２１２は、略「Ｌ」字形の第一のクランクアーム２２と略「Ｌ」字形の第二のクランクアーム２２’とを、複数の止めネジ２１３０を用いて取付けるための２つの結合部２１３が反対側位置に備えられた側部を有する。
【０００７】
第一のクランクアーム２２は、ケーシング部３０を回動可能に取付けるために、ケーシング部３０内に伸張された伸張部２２１を有する。第一のクランクアーム２２の伸張部２２１には、第一の歯車２３が回動可能に取付けられる。ケーシング部３０の正面プレート３１には、第一の歯車２３と噛み合う第二の歯車３３（図３参照）が固定される。第二のクランクアーム２２’は、ケーシング部３０を回動可能に取付けるために、ケーシング部３０内に伸張された伸張部２２１’を有する。第二のクランクアーム２２’の伸張部２２１’には、ねじりばね４が軸支され、該ねじりばね４は、第二のクランクアーム２２’の伸張部２２１’に固定された第一の端部と、ケーシング部３０に固定された第二の端部とを有する。
【０００８】
ケーシング部３０の背面プレート３２には、留め孔部３５及び導通孔部３５０が形成される。取付板２０の前面部２１にはスロット２１４が形成される。取付板２０のスロット２１４内には軸部２１５が取付けられる。この軸部２１５にはフック部材２４が軸支され、該フック部材２４は、ケーシング部３０の背面プレート３２に係止するために、背面プレート３２の留め孔部３５内に移動可能とされる。このフック部材２４は、軸部２１５に軸支された軸孔部２４３（図５参照）が形成された内面を有している。フック部材２４のこの軸孔部２４３の側面側には、軸部２１５をフック部材２４の軸孔部２４３に挿入することを容易にする開口部２４４（図５参照）が形成される。フック部材２４は、取付板２０側でケーシング部３０の背面プレート３２をロックするために背面プレート３２の留め孔部３５内に挿入される、留め鉤部２４１を備えている。フック部材２４は、第一の端部が操作部２４２により形成される。取付板２０の背面部２１２には、該背面部２１２から外部に突出するように固定竿部２１６が取付けられる。フック部材２４と取付板２０の間には、引張ばね６が取付けられる。この引張ばね６は、フック部材２４の第二の端部に固定された第一の端部と、固定竿部２１６に固定された第二の端部とを有している。
【０００９】
ケーシング部３０の正面プレート３１には、第一の押しボタン３４が移動可能に取付けられる。この第一の押しボタン３４は、ケーシング部３０の正面プレート３１から外部に突出された本体部３４１と、本体部３４１に取付けられた第一の端部と、背面プレート３２の導通孔部３５０を通るように伸張されフック部材２４を回転するためにフック部材２４の操作部２４２に対して置かれた第二の端部と、を有する駆動棒３４２と、本体部３４１とケーシング部３０の背面プレート３２との間に取付けられた圧縮ばね５と、を含んでいる。
【００１０】
図１，図２，図５及び図７に参照されるように、ケーシング部３０が図２に示す第一の位置に移動される場合、フック部材２４の留め鉤部２４１は、図５に示すように、背面プレート３２の留め孔部３５に挿入されて、取付板２０とケーシング部３０の背面プレート３２とをロックする。その結果、図２及び図７に示すように、ケーシング部３０の背面プレート３２は、取付板２０の前面部２１に対して堅く安定して静止される。さらに、ケーシング部３０の移動の間には、ねじりばね４が圧縮され曲げられて、復元力が蓄えられる。
【００１１】
図１，図２，図６及び図８に参照されるように、第一の押しボタン３４が押し込まれるときには、フック部材２４の操作部２４２を押し動かすべく駆動棒３４２が移動されることで、フック部材２４が回転して留め鉤部２４１が外部に移動し、その結果、図６に示すように、フック部材２４の留め鉤部２４１は、背面プレート３２の留め孔部３５から分離される。このときに、ケーシング部３０は、ねじりばね４の復元力により、取付板２０に対して外側に移動され、第二の位置へ移動する。その結果、ケーシング部３０の背面プレート３２は、取付板２０の前面部２１から取り外されて、図１及び図８に示すように、窓部２１１を露呈する。さらに、フック部材２４の動作中には、引張ばね６が伸ばされて、復元力が蓄えられる。さらに、第一の歯車２３及び第二の歯車３３により、激しい衝突を防止するリダクション効果が得られる。
【００１２】
図１に示すように、ケーシング部３０の背面プレート３２には、メインフレーム１の受け部１０の作動をコントロールするための第二の押しボタン７が移動可能に取付けられる。従って、フック部材２４が備えられることにより、ケーシング部３０が図２に示す第一の位置に配置されるときには、ケーシング部３０の背面プレート３２は、取付板２０の前面部２１に機械的に静止される。あるいは、ケーシング部３０の背面プレート３２には磁気片が備えられ、また、取付板２０は磁性材料で形成される。その結果、ケーシング部３０が図２に示す第一の位置に配置されるときには、ケーシング部３０の背面プレート３２は、取付板２０の前面部２１に磁気力により静止される。
【図面の簡単な説明】
【００１３】
【図１】本実用新案の好ましい実施の形態に基づくマルチメディア・プレーヤーの一部切り欠き斜視図である。
【図２】本実用新案の好ましい実施の形態に基づくマルチメディア・プレーヤーの一部切り欠き斜視図である。
【図３】図２に示すマルチメディア・プレーヤーの分解斜視図である。
【図４】本実用新案の好ましい実施の形態に基づくマルチメディア・プレーヤーの裏側斜視図である。
【図５】図２に示すマルチメディア・プレーヤーの側面の断面図である。
【図６】図５に示すマルチメディア・プレーヤーの操作中の概略図である。
【図７】図２に示すマルチメディア・プレーヤーの側面の拡大図である。
【図８】図７に示すマルチメディア・プレーヤーの操作中の概略図である。
【図１】
0003103074.tif 000003
【図２】
0003103074.tif 000004
【図３】
0003103074.tif 000005
【図４】
0003103074.tif 000006
【図５】
0003103074.tif 000007
【図６】
0003103074.tif 000008
【図７】
0003103074.tif 000009
【図８】
0003103074.tif 000010